(57)【要約】【課題】  自動販売機を設置する際に、据付石板に既存のものを用いて、簡単かつ安価に、据付石板の一番汚れの目立つ部分をカバーすることができ、据付石板のリユース率を高め、自然環境保護の観点から廃棄据付石板の低減に役立つ自動販売機等の据付石板用化粧プレートを提供する。【解決手段】  化粧プレート１０は、直方体形状をなす自動販売機２６の据付石板１２を正面２０に埋設した据付石板１２の正面２０の外面形状及び寸法とほぼ一致する内面形状及び寸法を有し、据付石板１２に埋設したインサートナット２２の対応位置にボルト挿通孔３６を有し、ボルト挿通孔３６に挿通したボルト３０をインサートナット２２に螺合させて据付石板１２の正面２０に取り付けられる。【選択図】図１
2019040625.tif 000002
【特許請求の範囲】
【請求項１】
直方体形状をなす自動販売機等の据付石板の正面外面形状及び寸法とほぼ一致する内面形状及び寸法を有し、
前記据付石板の正面に埋設したインサートナットの対応位置にボルト挿通孔を有し、
前記ボルト挿通孔に挿通したボルトを前記インサートナットに螺合させて前記据付石板の前記正面に取り付けられ、
前記据付石板に前記自動販売機等を固定した状態で前記据付石板に取り付けることができることを特徴とする自動販売機等の据付石板用化粧プレート。
【請求項２】
前記据付石板用化粧プレートは、前記据付石板の正面側から前記据付石板の前記正面に被せて取り付けられるようになっていることを特徴とする請求項１記載の自動販売機等の据付石板用化粧プレート。
【請求項３】
前記据付石板用化粧プレートは、前記据付石板の少なくとも前記自動販売機等の設置箇所より露出する両側面及び上面を覆う被覆部を有することを特徴とする請求項１又は請求項２記載の自動販売機等の据付石板用化粧プレート。
【発明の詳細な説明】
【技術分野】
【０００１】
本発明は、自動販売機等の据付石板用化粧プレートに関し、特に、自動販売機等の据付石板のリユース化を図るための自動販売機等の据付石板用化粧プレートに関する。
【背景技術】
【０００２】
従来使用されてきた自動販売機等の据付石板は、コンクリート製のもので、設置する際、据付石板に削孔した上、この削孔にコンクリートアンカーを打込んで金具を固定しており、自動販売機等を入れ替える際にはコンクリートアンカーを引き抜いたり、カットしたりするため、ほぼ１回の使用でコンクリート製の据付石板は廃棄対象となり、各地の自動販売機等設置業者の資材置き場では、廃棄予定の据付石板を抱え、処分に困っているのが現状である。
【０００３】
適切な管理の元に製造されたコンクリート製品の物性上の耐久性は、２０年〜３０年の期間が期待できるところ、３年程度の短期間の使用で廃棄されてしまうことは、自然環境保護の観点からも好ましいことではない。
【０００４】
そこで、本出願人は、特許文献１に示すような「自動販売機などの据付基礎ブロック及びその固定方法」を先に提案した。
【０００５】
この自動販売機などの据付基礎ブロックは、基礎ブロックに自動販売機の脚部をボルト・ナット等で固定するためのレールを設けることにより、コンクリートアンカー用の削孔や入れ替え時のコンクリートアンカーの引き抜き、カット等の手間を不要とし、石板のリユース化に貢献している。
【０００６】
なお、この据付基礎ブロックは、正面に複数のインサートが埋設され、このインサートを用いて据付基礎ブロックを並列に連結できるようにされている。
【先行技術文献】
【特許文献】
【０００７】
【特許文献１】特許第４４４３９９２号公報
【発明の概要】
【発明が解決しようとする課題】
【０００８】
しかし、このような特許文献１に示すような据付基礎ブロックにおいても、使用年月が３年程度経過すると、コンクリートの表面は大気中の二酸化炭素や、酸性雨などの酸化等の作用により劣化し、洗浄したとしても黒シミ等の汚れが目立つようになり、新規の自動販売機等の設置には見栄えの点から、リユースしづらくなることもある。
【０００９】
本発明の目的は、自動販売機等を設置する際に、据付石板に既存のものを用いて、簡単かつ安価に、据付石板の一番汚れの目立つ部分をカバーすることができ、据付石板のリユース率を高め、自然環境保護の観点から廃棄据付石板の低減に役立つ自動販売機等の据付石板用化粧プレートを提供することにある。
【課題を解決するための手段】
【００１０】
（１）前記目的を達成するため、本発明の自動販売機等の据付石板用化粧プレートは、直方体形状をなす自動販売機等の据付石板の正面外面形状及び寸法とほぼ一致する内面形状及び寸法を有し、
前記据付石板の正面に埋設したインサートナットの対応位置にボルト挿通孔を有し、
前記ボルト挿通孔に挿通したボルトを前記インサートナットに螺合させて前記据付石板の前記正面に取り付けられ、
前記据付石板に前記自動販売機等を固定した状態で前記据付石板に取り付けることができることを特徴とする。
【００１１】
（２）本発明の自動販売機等の据付石板用化粧プレートにおいては、（１）において、前記据付石板用化粧プレートは、前記据付石板の正面側から前記据付石板の前記正面に被せて取り付けられるようになっていることを特徴とする。
【００１２】
（３）本発明の自動販売機等の据付石板用化粧プレートにおいては、（１）又は（２）において、前記据付石板用化粧プレートは、前記据付石板の少なくとも前記自動販売機等の設置箇所より露出する両側面及び上面を覆う被覆部を有することを特徴とする。
【００１３】
本発明によれば、据付石板用化粧プレートを、既存の据付石板に設けられているインサートを用いて据付石板の正面に取り付けることにより、簡単かつ安価に、据付石板の一番汚れの目立つ部分をカバーすることができ、据付石板のリユース率を高め、自然環境保護の観点から廃棄据付石板の低減に役立つことができる。
【図面の簡単な説明】
【００１４】
【図１】本発明の第１の実施の形態にかかる自動販売機等の据付石板用化粧プレート    を示す概略斜視図である。
【図２】図１の化粧プレートの拡大斜視図である。
【図３】本発明の第２の実施の形態及び第３の実施の形態にかかる自動販売機等の据    付石板用化粧プレートを示す概略斜視図である。
【図４】図３の第２の実施の形態にかかる化粧プレートの拡大斜視図である。
【図５】図３の第３の実施の形態にかかる化粧プレートにおける一対の化粧プレート    材のうちの一方の化粧プレート材の一部を省略して示す拡大斜視図である。
【発明を実施するための形態】
【００１５】
以下、本発明の実施の形態について、図面を参照して説明する。
【００１６】
図１及び図２は、本発明の第１の実施の形態にかかる自動販売機等の据付石板用化粧プレート１０を示す図である。
【００１７】
この自動販売機等の据付石板用化粧プレート１０は、自動販売機等の据付石板１２の正面に取り付けられるようになっている。
【００１８】
この据付石板１２は、コンクリート製で、図１に示すように、直方体形状をなし、上面１４に開口した２個のボルト溝１６を有し、上面１４に埋設された４個のインサートナット１８、正面２０及び背面（図示せず）にそれぞれ２個埋設したインサートナット２２を有するとともに、正面２０及び後端面に手掛け部２４が形成された状態となっている。
【００１９】
そして、手掛け部２４に手をかけて据付石板１２を設置位置まで運搬して固定し、ボルト溝１６にボルトの頭部を係合させてボルトの位置決めを行い、例えば、自動販売機２６の図示せぬ脚部にボルトを挿通してナットで締め付けることにより、自動販売機２６を固定できるようになっている。
【００２０】
また、この据付石板１２は、図３の左側に示すように、隣接して配設した２個の据付石板１２の各上面１４のインサートナット１８、正面２０のインサートナット２２に連結プレート２８を掛け渡し、ボルト３０を連結プレート２８に挿通してインサートナット１８、２２に螺合させて締め付けることで、隣接する据付石板１２同士を連結一体化し得るようにも構成されている。
【００２１】
化粧プレート１０は、図２にも示すように、据付石板１２の正面２０の外面形状及び寸法とほぼ一致する内面形状及び寸法を有するものとなっている。
【００２２】
この場合、据付石板１２の正面２０は、外周部に面取り部３２が形成されているため、化粧プレート１０の外周部にも内面側及び外面側に面取り部３４が形成された状態となっている。
【００２３】
したがって、化粧プレート１０を据付石板１２の正面２０に被せた状態で、化粧プレート１０は据付石板１２の正面２０にフィットする状態となる。
【００２４】
また、化粧プレート１０には、据付石板１２の正面２０に埋設したインサートナット２２対応位置に２個のボルト挿通孔３６が設けられている。
【００２５】
そして、図１に示すように、化粧プレート１０の２個のボルト挿通孔３６にボルト３０挿通し、このボルト３０を据付石板１２の正面２０に埋設したインサートナット２２に螺合させることで、据付石板１２の正面２０に化粧プレート１０を取り付けるようにしている。
【００２６】
この化粧プレート１０の素材としては、鋼板、合成樹脂、アルミニウム板等が適し、鋼板やアルミニウム板等の場合は、表面に耐光性塗料で各飲料メーカーの機器に合わせた色に着色することが望ましい。
【００２７】
合成樹脂製の場合には、紫外線劣化を考慮のうえ、同様の着色を施すことが望ましい。
【００２８】
さらに、化粧プレート１０の表面にガラスビーズを含んだ再帰反射塗料「ブライトコート」等で塗装したり、平面部分に反射シールを貼り付けたりして反射部３８を設けるようにし、節電のために夜間照明を消している自動販売機等の存在を認知させることにより、節電のために衝突事故等を防止することに役立つようにすることもできる。
【００２９】
そしてさらに、図示せぬが、反射部３８に飲料メーカーの各社の「ロゴ」を表示することにより、広告宣伝効果も得られ、また、同様に、反射部３８に「広域避難所⇒」等の避難誘導表示を施すことにより、大規模震災などの災害時に避難誘導表示板としても役立てることができる。
【００３０】
このように、本実施の形態によれば、既存の据付石板１２に設けられているインサートナット２２を用いて据付石板１２の正面２０に化粧プレート１０を取り付けることにより、簡単かつ安価に、据付石板１２の一番汚れの目立つ正面２０部分をカバーすることができ、据付石板１２のリユース率を高め、自然環境保護の観点から廃棄据付石板の低減に役立つことができる。
【００３１】
また、本実施の形態の場合、化粧プレート１０でカバーできる部分は、据付石板１２の正面２０のみであるため、自動販売機２６を設置した状態で露出する部分の汚れが気になる場合がある。
【００３２】
そのため、新規に据付石板１２を設置する際に、据付石板１２の表面に撥水剤、防汚剤等のクリアー剤類を吹き付けてコーティングしておくことにより、回収時に洗浄し汚れを除去できるようにしておくのが望ましい。
【００３３】
図３の一部左端及び図４は、本発明の第２の実施の形態にかかる自動販売機等の据付石板用化粧プレート４０を示す図である。
【００３４】
この化粧プレート４０は、図４に示すように、第１の実施の形態における化粧プレート１０と同様の構成を有する正面取付け部４２と、この正面取付け部４２の両側辺４４及び上辺４６から、据付石板１２の少なくとも自動販売機２６の設置箇所より露出する両側面及び上面を覆う被覆部４８とを有し、被覆部４８は正面取付け部４２と一体に形成されている。
【００３５】
なお、この被覆部４８には、据付石板１２のボルト溝１６対応位置に、このボルト溝１６を露出させるためのスリット６８が1箇所に形成されている。
【００３６】
このように被覆部４８によって、自動販売機２６の設置箇所より露出する据付石板１２の部分を覆うことにより、据付石板１２の汚れ等が見えなくなり、よりリユース率を高めるのに貢献できることとなる。
【００３７】
また、新規の据付石板１２を設置する場合にも、自動販売機２６が載らない露出部分を含めてカバーすることにより、酸性雨等によるコンクリートの表面劣化を防止し、据付石板１２のリユース率を高めることができる。
【００３８】
なお、被覆部４８は、必要に応じ正面取付け部４２とは別体として形成してもよい。
【００３９】
他の構成及び作用は第１の実施の形態と同様につき、同様の部分には同一の符号を付すに留めその説明を省略する。
【００４０】
なお、図３の左側に示すように、連結プレート２８を用いて、隣接する据付石板１２同士を連結一体化し得るように構成されたものにあっては、ボルト３０を連結プレート２８に挿通し、さらにこのボルト３０を化粧プレート１０の正面取付け部４２の一方のボルト挿通孔３６に挿通し、据付石板１２の正面２０に埋設したインサートナット２２に螺合させることで、据付石板１２の正面２０に化粧プレート１０を取り付けるようにしている。正面取付け部４２の他方のボルト挿通孔３６には、前記第１の実施の形態と同様にボルト３０挿通し、このボルト３０を据付石板１２の正面２０に埋設したインサートナット２２に螺合させることで、据付石板１２の正面２０に化粧プレート１０を取り付けるようにしている。
【００４１】
図３の一部右側及び図５は、本発明の第３の実施の形態にかかる自動販売機等の据付石板用化粧プレート５０を示す図である。
【００４２】
この化粧プレート５０は、２つの据付石板１２、１２を所定の間隔を置いて設置し、それら各据付石板１２、１２に取り付けられて各据付石板１２、１２の正面２０、２０及び各据付石板１２、１２間の正面を覆う一対の化粧プレート材５２Ａ、５２Ｂを有する。
【００４３】
一対の化粧プレート材５２Ａ、５２Ｂは、左右対称の形状を成すもので、図５ではその一方の化粧プレート材５２の一部を省略して示している。
【００４４】
各化粧プレート材５２Ａ、５２Ｂは、正面取付け部５４Ａ、５４Ｂと、重合部５６Ａ、５６Ｂとを有している。
【００４５】
各化粧プレート材５２Ａ、５２Ｂの正面取付け部５４Ａ、５４Ｂは、第１の実施の形態における化粧プレート１０及び第２の実施の形態における正面取付け部４２に相当するもので、据付石板１２の正面２０の外面形状及び寸法とほぼ一致する内面形状及び寸法を有する。そして、各正面取付け部５４Ａ、５４Ｂは、対応する据付石板１２、１２の正面２０、２０のインサートナット２２と対応する位置に形成したボルト挿通孔３６に、ボルト３０を挿通し、ボルト３０をインサートナット２２に螺合させて、対応する据付石板１２、１２の正面２０、２０にそれぞれ取り付けられるようになっている。
【００４６】
なお、図３の左側に示すように、連結プレート２８を用いて、隣接する据付石板１２同士を連結一体化し得るように構成されたものにあっては、ボルト３０を連結プレート２８に挿通し、さらにこのボルト３０を化粧プレート材５２Ａの正面取付け部５４Ａの一方のボルト挿通孔３６に挿通し、据付石板１２の正面２０に埋設したインサートナット２２に螺合させることで、据付石板１２の正面２０に化粧プレート材５２Ａを取り付けるようにしている。
【００４７】
各化粧プレート材５２Ａ、５２Ｂの重合部５６Ａ、５６Ｂは、各正面取付け部５４Ａ、５４Ｂの各対向側部より側方（隣接する化粧プレート材５２側）に延出形成されており、それぞれが前後に重合されるようになっている。図５においては、１００で示す領域で前後に重合されている。この重合領域１００を調整することで、据付石板１２、１２の間隔に対応して長さ調整可能に固定されるようになっている。
【００４８】
前記一対の重合部５６Ａ、５６Ｂの一方５６Ａには、水平方向に伸びる長孔が形成され、他方５６Ｂには、前記長孔と対応する位置に水平方向に伸びる長孔または複数のボルト挿通孔が形成される。
【００４９】
本実施の形態では、一方の重合部５６Ａに水平方向に伸びる長孔５８Ａが形成されている。他方の重合部５６Ｂの前記長孔５８Ａと対応する位置には、水平方向に所定間隔をおいて複数のボルト挿通孔５８Ｂが形成されている。そして、各化粧プレート材５２Ａ、５２Ｂの正面取付け部５４Ａ、５４Ｂが対応する据付石板１２、１２の正面２０、２０に取り付けられた状態で、各重合部５６Ａ、５６Ｂは、図５に示すように、１００で示す領域で前後に重合された状態となり、さらに、各重合部５６Ａ、５６Ｂにそれぞれ形成された水平方向に伸びる長孔５８Ａ及び複数のボルト挿通孔５８Ｂも互いに重なり合う。この状態で、長孔５８Ａ、ボルト挿通孔５８Ｂを介して前後に重合された各重合部５６Ａ、５６Ｂをボルト・ナット６０で固定する。これにより、一対の化粧プレート材５２Ａ、５２Ｂを、据付石板１２、１２の間隔に対応して長さ調整可能に固定することができる。
【００５０】
さらに、この実施の形態では、各化粧プレート材５２Ａ、５２Ｂに被覆部６６Ａ、６６Ｂが一体的に形成されている。この被覆部６６Ａ、６６Ｂは、正面取付け部５４Ａ、５４Ｂの外側側辺６２及び上辺４６並びに重合部５６Ａ、５６Ｂの上辺６４より奥方向に延出して形成され、所定間隔を置いて設置した据付石板１２、１２の少なくとも自動販売機２６の設置箇所より露出する外側両側面及び据付石板１２、１２間の上面を含めた上面全体を覆うものである。
【００５１】
このように、本実施の形態では、据付石板１２、１２の正面はもちろん、所定間隔を置いて設置した据付石板１２、１２間の正面側を覆うことで、リユース率を高めるだけでなく、据付石板１２、１２間の奥側が見えるのを防止して、外観を向上させることができる。
【００５２】
しかも、被覆部６６Ａ、６６Ｂにより、間隔を置いて設置した据付石板１２、１２間にごみが溜まったり、雑草が生えたりして美観を損ねるのを防止するとともに、据付石板１２、１２間にコインを落としてしまって取れなくなるのを防止することができる。
【００５３】
なお、前記被覆部６６Ａ、６６Ｂは、必要に応じ化粧プレート材５２Ａ、５２Ｂと別体に形成してもよい。
【００５４】
また、前記他方の重合部５６Ｂに形成された複数のボルト挿通孔５８Ｂに代え、これを長孔５８Ａと同様の一本の長孔として形成してもよい。そして、各長孔及び各ボルト挿通孔３６を各化粧プレート材５２Ａ、５２Ｂの上下両端から等しい位置、すなわち中央に位置するように形成した場合には、各化粧プレート材５２Ａ、５２Ｂを同一構造とすることができる。
【００５５】
他の構成及び作用は、前記第１の実施の形態及び第２の実施の形態と同様につき、同様の部分には同一の符号を付すに止め、説明を省略する。
【産業上の利用可能性】
【００５６】
本発明は、前記実施の形態に限定されるものではなく、本発明の要旨の範囲内において種々の形態に変形可能である。
【００５７】
例えば、前記第３の実施の形態においては、各化粧プレート材は正面取付け部と、重合部と、被覆部を有するものとされているが、この例に限定されるものではなく、各化粧プレート材は正面取付け部と重合部のみを有して、被覆部を有しないものとすることもできる。
【符号の説明】
【００５８】
１０、４０、５０  化粧プレート
１２  据付石板
２０  正面
２２  インサートナット
２６  自動販売機
３０  ボルト
３６  ボルト挿通孔
３８  反射部
４２、５４  正面取付け部
４４  両側辺
４６、６４  上辺
４８  被覆部
５２Ａ、５２Ｂ  化粧プレート材
５６Ａ、５６Ｂ  重合部
５８Ａ  長孔
５８Ｂ  ボルト挿通孔
６０  ボルト・ナット
６２  外側側辺
６６Ａ、６６Ｂ  被覆部
【図１】
2019040625.tif 000003
【図２】
2019040625.tif 000004
【図３】
2019040625.tif 000005
【図４】
2019040625.tif 000006
【図５】
2019040625.tif 000007